(57)【要約】【課題】Ｕ字型ＣＣＦＬのＵ字形の先端部位を保持するために、直下型バックライトに用いられているサイドフレームの側面にＣＣＦＬのＵ字形の先端部位を保持するための保持部を設けることにより、従来、Ｕ字型ＣＣＦＬのＵ字形の先端部位を保護するために用いられていたラバーブッシュまたはＯ−ＲＩＮＧを用いることなく、Ｕ字型ＣＣＦＬのＵ字形の先端部位を保持するとともに、温度差による水銀の偏りを低減させ、コストの削減を可能とする液晶表示装置用バックライトのＵ字型冷陰極管の保持機構を提供することを目的とする。【解決手段】  Ｕ字形の冷陰極管を光源とする直下型液晶表示装置のバックライトユニットのサイドフレームに、Ｕ字形の冷陰極管のＵ字部を保持するための保持部を設置する。【選択図】図１
2009283261.tif 000002
【特許請求の範囲】
【請求項１】
Ｕ字形の冷陰極管を光源とする直下型液晶表示装置のバックライトユニットのサイドフレームであって、
前記サイドフレームは前記Ｕ字形の冷陰極管のＵ字部を保持するための保持部を有することを特徴とする液晶表示装置のバックライトユニットのサイドフレーム。
【請求項２】
請求項１に記載の前記直下型液晶表示装置のバックライトユニットのサイドフレームにおいて、
前記保持部は、前記サイドフレームの内側の側面に設けられたフックであることを特徴とする液晶表示装置のバックライトユニットのサイドフレーム。
【発明の詳細な説明】
【技術分野】
【０００１】
本発明は、Ｕ字形の冷陰極管を光源とする直下型液晶表示装置のバックライトユニットのサイドフレームに関する。特に、Ｕ字形の冷陰極管のＵ字形部を保持する機構に関する。
【背景技術】
【０００２】
現在、大部分の液晶表示装置のバックライトの光源にはＣＣＦＬ（冷陰極管)が用いられている。また、ＣＣＦＬには細いガラス管が用いられ、破損し易いので、通常のバックライトユニットはＣＣＦＬの保持と保護を目的とした保持機構を備えている。
【０００３】
また、液晶表示装置の画面は高輝度化と大型化が進行しつつあり、この高輝度化と大型化により直下型バックライトにおける直線型ＣＣＦＬの保持機構の重要性が増している。この直下型バックライトにおける直線型ＣＣＦＬの保持機構は、ＣＣＦＬ端部の電極接続部付近でのコネクタやラバーブッシュによる保持機構とＣＣＦＬのたわみ防止としてのＣＣＦＬ中央部付近での樹脂製支持台による保持機構が一般的である。
【０００４】
また、直下型バックライトには、直線型ＣＣＦＬではなくＵ字型ＣＣＦＬが用いられることがある。このＵ字型ＣＣＦＬの保持機構には、一般的に、電極接続部付近の保持と中央部付近の樹脂製の支持台による保持機構に加えて、Ｕ字形に曲がった先端部位をゴム製の緩衝材であるラバーブッシュにて保持する機構や、Ｕ字形に曲がった先端部位にＯ−ＲＩＮＧを設置し、干渉を防止しているのが一般的である。
【０００５】
しかしながら、ラバーブッシュを用いた保持機構ではラバーブッシュを装着している部位と、装着していない部位との間でＣＣＦＬ内部に温度差が生じてしまう。その結果、ＣＣＦＬ内部の水銀が偏りやすくなる。
【０００６】
また、Ｏ−ＲＩＮＧを用いる場合には、液晶表示装置のバックライトユニットに強い振動や衝撃が加わると、一般的なＯ−ＲＩＮＧは幅が狭く、ＣＣＦＬ（冷陰極管)を破損する恐れがある。そのため、Ｏ−ＲＩＮＧを幅が広く、かつ強固なものに変更する必要がある。
【０００７】
図２は、直下型バックライトにおけるＵ字型ＣＣＦＬのＵ字形部にＯ−ＲＩＮＧが用いられている様子を示す斜視図である。
【０００８】
図２において、１１０は液晶表示装置のバックライトユニットの従来のサイドフレームであり、１０６は光学シートであり、１０２は拡散板であり、１１１はＣＣＦＬであり、１１２はＣＣＦＬのたわみを防止するためにＣＣＦＬ中央部付近に設置される樹脂製支持台であり、１１４はバックライトの背面板金と背面板金の上に載せられた反射シートである。また、２０１はＣＣＦＬのＵ字形に曲がった先端部位に用いられるＯ−ＲＩＮＧである。１２１はＵ字型ＣＣＦＬのＵ字形の先端部位である。
【０００９】
しかし、Ｕ字型ＣＣＦＬのＵ字形の先端部位はＯ−ＲＩＮＧにより保持・固定されてはいないので、強い振動や衝撃に対しては、ＣＣＦＬが破損する恐れがある。これに対応するために、Ｏ−ＲＩＮＧを幅が広いものにすると、Ｏ−ＲＩＮＧにより保持されているＣＣＦＬの部位と、Ｏ−ＲＩＮＧにより保持されていない部位との間で温度差が生じてしまいＣＣＦＬ内部の水銀が偏るという問題が生じる。
また、バックライトユニットへの強い振動や衝撃に対しては、Ｕ字型ＣＣＦＬの直線部分を保持するための樹脂製支持台の数を増加させるという対応策は、製造コストの増加を招く。
【００１０】
【特許文献１】特開  ２００５−１５００５６
【発明の開示】
【発明が解決しようとする課題】
【００１１】
そこで、本発明は、Ｕ字型ＣＣＦＬのＵ字形の先端部位を保持するために、従来、Ｕ字型ＣＣＦＬのＵ字形の先端部位を保護するために用いられていたラバーブッシュまたはＯ−ＲＩＮＧを用いることなく、直下型バックライトに用いられているサイドフレームの側面にＣＣＦＬのＵ字形の先端部位を保持するための保持部を設けることにより、Ｕ字型ＣＣＦＬのＵ字形の先端部位を確実に保持するとともに、温度差による水銀の偏りを低減させ、コストの削減を可能とする液晶表示装置用バックライトのＵ字型冷陰極管の保持機構を提供することを目的とする。
【課題を解決するための手段】
【００１２】
請求項１に記載の発明は、Ｕ字形の冷陰極管を光源とする直下型液晶表示装置のバックライトユニットのサイドフレームであって、
前記サイドフレームは前記Ｕ字形の冷陰極管のＵ字部を保持するための保持部を有することを特徴とする。
【００１３】
請求項２に記載の発明は、請求項１に記載の発明に係り
前記保持部は、前記サイドフレームの内側の側面に設けられたフックであることを特徴とする。
【発明の効果】
【００１４】
Ｕ字型ＣＣＦＬのＵ字形の先端部位の保持機構としてラバーブッシュを用いる場合に比べて、本発明に係るサイドフレームによれば、ラバーブッシュにより支持されているＣＣＦＬのＵ字形の先端部位と支持されていないＣＣＦＬ部分との間に生じる温度差を低減できる。
【００１５】
その結果、温度差が生じることに起因していた、ＣＣＦＬ内部の水銀の偏りを軽減することができ、ＣＣＦＬの寿命を改善できる。
【００１６】
また、Ｕ字型ＣＣＦＬのＵ字形の先端部位の保持機構としてラバーブッシュではなくＯ−ＲＩＮＧを使用する場合との比較においては、Ｏ−ＲＩＮＧを使用する場合にはバックライトユニットへの強い振動や衝撃に対して、Ｏ−ＲＩＮＧを幅広の強固なものにする必要があり、幅広の強固なものにすると、今度はコストアップやＣＣＦＬ内部の水銀の偏りを招いてしまうといった問題があったが、本発明に係るサイドフレームによれば、ＣＣＦＬのＵ字形の先端部位はサイドフレームに保持・固定されるので、Ｏ−ＲＩＮＧを使用する場合に比べて、バックライトユニットへの強い振動や衝撃に対して強く、また、Ｏ−ＲＩＮＧを使用する場合に比べて、より少ない接触面積でＣＣＦＬを支持できるので、ＣＣＦＬ内部の水銀の偏りを防止・軽減できる。
【発明を実施するための最良の形態】
【００１７】
以下、図を参照しつつ、発明を実施するための最良の形態につき説明する。
【００１８】
図１は本発明に係る液晶表示装置のバックライトユニットのサイドフレームの概要を説明するための液晶表示装置のバックライトユニットの展開斜視図である。
【００１９】
図１において、１１０は本発明に係る液晶表示装置のバックライトユニットのサイドフレームであり、１０６は光学シートであり、１０２は拡散板であり、１１１はＣＣＦＬであり、１１２は樹脂製支持台であり、１１４はバックライトの背面板金と背面板金の上に載せられた反射シートである。また、１２０はサイドフレーム１１０に設置されたフックである。１２１はＵ字型ＣＣＦＬのＵ字形の先端部位である。また、１１５はＵ字型ＣＣＦＬのＵ字形の先端部位１２１がサイドフレーム１１０に設置されたフック１２０に保持されている様子を示す部分拡大斜視図である。
【００２０】
本発明に係る液晶表示装置のバックライトユニットのサイドフレーム１１０は内側の側面にＵ字型ＣＣＦＬのＵ字形の先端部位１２１を保持するための保持部であるフック１２０を備えている。
【００２１】
Ｕ字型ＣＣＦＬのＵ字形の先端部位１２１がサイドフレーム１１０に設置されたフック１２０に保持されている様子を示す部分拡大斜視図１１５に示されているように、Ｕ字型ＣＣＦＬのＵ字形の先端部位１２１はフック１２０に保持される。
【００２２】
図３はサイドフレーム１１０に設置されたフック１２０の斜視図である。ただし、フック１２０の形状は単なる例示である。
【００２３】
図３において、３０１はフックに設けられた突起である。
【００２４】
また、フック１２０はサイドフレーム１１０と一体化して形成してもよいし、別途作成して、サイドフレーム１１０に取り付けても良い。
【００２５】
本発明に係るサイドフレームによれば、Ｕ字型ＣＣＦＬのＵ字形の先端部位の保持機構としてラバーブッシュを用いる場合に比べて、ラバーブッシュにより支持されているＣＣＦＬ部分と支持されていないＣＣＦＬ部分との間に生じる温度差を軽減できる。特に、図３に示されているフックの場合には、突起３０１を設けることにより、ＣＣＦＬとフック１２０が接触する面積が小さくなり、ＣＣＦＬがフック１２０に接触することによる温度差が生じにくく、この部位での水銀の偏りを防止・低減できる。その結果、温度差が生じることに起因していた、ＣＣＦＬ内部の水銀の偏りを軽減することができ、ＣＣＦＬの寿命を改善できる。
【００２６】
また、ラバーブッシュではなくＯ−ＲＩＮＧを使用する場合との比較においては、Ｏ−ＲＩＮＧを使用する場合にはバックライトユニットへの強い振動や衝撃に対して、Ｏ−ＲＩＮＧを幅広の強固なものにする必要があり、幅広の強固なものにすると、今度はコストアップやＣＣＦＬ内部の水銀の偏りを招いてしまうといった問題があったが、本発明に係るサイドフレームによれば、ＣＣＦＬのＵ字形の先端部位はサイドフレームに保持・固定されるので、Ｏ−ＲＩＮＧを使用する場合に比べて、バックライトユニットへの強い振動や衝撃に対して強く、また、Ｏ−ＲＩＮＧを使用する場合に比べて、より少ない接触面積でＣＣＦＬを支持できるので、ＣＣＦＬ内部の水銀の偏りを防止・軽減できる。
【図面の簡単な説明】
【００２７】
【図１】本発明に係る液晶表示装置のバックライトユニットのサイドフレームの概要を説明するための液晶表示装置のバックライトユニットの展開斜視図である。
【図２】直下型バックライトにおけるＵ字型ＣＣＦＬのＵ字形部にＯ−ＲＩＮＧが用いられている様子を示す斜視図である。
【図３】サイドフレーム１１０に設置されたフック１２０の斜視図である。
【符号の説明】
【００２８】
１０１      バックライトフレーム
１０２      拡散板
１０６      光学シート
１１０      サイドフレーム
１１１      ＣＣＦＬ
１１２      樹脂製支持台
１１４      バックライトの背面板金と背面板金の上に載せられた反射シート
１１５      Ｕ字型ＣＣＦＬのＵ字形の先端部位１２１がサイドフレーム１１０に設置されたフック１２０に保持されている様子を示す部分拡大斜視図
１２０      サイドフレーム１１０に設置されたフック
１２１      Ｕ字型ＣＣＦＬのＵ字形の先端部位
【図１】
2009283261.tif 000003
【図２】
2009283261.tif 000004
【図３】
2009283261.tif 000005